(57)【要約】      （修正有）【課題】電源アダプタの提供。【解決手段】電源入力コネクタ１０、電圧変換装置２０、電源出力コネクタ３０及び複数の出力変換アダプタ４０を具え、電源入力コネクタと電源出力コネクタは電圧変換装置に接続され、電源入力コネクタは直流電源を電圧変換装置に入力し、電圧変換装置は直流電圧変換回路２１、多段切り換えスイッチ２２及び抵抗選択ネットワーク２３を具え、直流電圧変換回路が多段切り換えスイッチの多段切り換え操作を通して抵抗選択ネットワークに接続され、直流電圧変換回路が抵抗選択ネットワークより異なる抵抗値を獲得し、直流電源を抵抗値の選択により変換して対応する電圧値の出力電源となして電源出力コネクタより出力し、対応する電気設備の電源を提供し、電圧変換装置が並びに誤触停電装置と起動スイッチを具え、該誤触停電装置は多段切り換えスイッチに誤触時に電力を切断し、並びに起動スイッチで新たに起動できる。【選択図】図３
0003103709.tif 000002
【実用新案登録請求の範囲】
【請求項１】
電源入力コネクタと、電圧変換装置と、電源出力コネクタとを具えた電源アダプタであり、
該電源入力コネクタは直流電源設備に接続され並びに直流電源を入力し、
該電圧変換装置は直流電圧変換回路と多段切り換えスイッチ及び抵抗選択ネットワークを具え、該直流電圧変換回路が電源入力端、参考端及び電源出力端を具え、該電源入力端が前記電源入力コネクタが接続されて前記直流電源を入力し、該電源出力端は参考端の抵抗値により前記直流電源を変圧後に対応する電圧値の出力電源を出力し、該多段切り換えスイッチは公共端と複数の切り換え端を具え、該公共端が直流電圧変換回路の参考端に接続され、該抵抗選択ネットワークは複数の抵抗選択接点を具え、各抵抗選択接点が異なった抵抗値を代表し、且つ各抵抗選択接点がそれぞれ多段切り換えスイッチの各切り換え端に対応するよう接続され、
該電源出力コネクタは、電圧変換装置の直流電圧変換回路の電源出力端に接続されることを特徴とする、電源アダプタ。
【請求項２】
請求項１記載の電源アダプタにおいて、電源出力コネクタに接続されて電源出力コネクタと電気設備を連結する出力変換アダプタを更に具えたことを特徴とする、電源アダプタ。
【請求項３】
請求項２記載の電源アダプタにおいて、電源出力コネクタに接続部が設けられ、出力変換アダプタに連接端と出力端が設けられ、該連接端が電源出力コネクタの接続部に接続され、出力端が電気設備の電源ソケットに接続されることを特徴とする、電源アダプタ。
【請求項４】
請求項１記載の電源アダプタにおいて、電圧変換装置に誤触停電装置と起動スイッチが更に設けられ、多段切り換えスイッチが誤触される時、それを切断し、並びに起動スイッチにより再起動させられることを特徴とする、電源アダプタ。
【考案の詳細な説明】
【技術分野】
【０００１】
本考案は一種の電源アダプタに係り、特に、直流対直流の電圧変換に用いられると共に、多段選択と多種の異なる電圧値の変換機能を具えた電源アダプタに関する。
【背景技術】
【０００２】
直流電源アダプタは広く各種の電器に用いられ、例えば無線電話機、携帯ラジオ、モデム、携帯電話充電器、液晶ディスプレイ等の直流電源の電器設備はいずれも余分の直流電源アダプタにより交流電源を直流電源に変換して使用する。周知の直流電源アダプタは単一電圧値の直流電源供給機能を有するのみであり、使用者は異なる電気設備に対して対応する直流電源アダプタを配置しなければならず、使用及び操作上の不便と悩みをもたらした。特に旅行或いは公共の場所に携帯型の電気設備例えばノートブック型コンピュータ、ＰＤＡ、言語翻訳機、携帯ラジオ、ＭＰ３プレイヤー、携帯電話等の多種類の異なる電源電圧値の電気設備を携帯する場合、多くの直流電源アダプタも携帯しなければならず、携帯上の負担が増す。
【考案の開示】
【考案が解決しようとする課題】
【０００３】
本考案の主要な目的は一種の直流電源アダプタを提供することにあり、それは電源入力コネクタ、電圧変換装置、電源出力コネクタを具え、電圧変換装置が各種の異なる電圧値変換機能を提供し、電源入力コネクタの入力した直流電源電圧を変圧後に、さらに電源出力コネクタより出力し、各種の異なる電源電圧値の電気設備、例えば各メーカーの携帯電話、カメラ、ビデオカメラ、外接式ＣＤドライブ、ＤＶＤ、ＶＣＤプレイヤー等の使用に供し、使用者が携帯しやすく、且つ自動車上或いは飛行機上での使用にも便利なものとする。
【０００４】
本考案のもう一つの目的は、一種の電源アダプタを提供することにあり、それは多段切り換えスイッチを具え、該多段切り換えスイッチの切り換え操作により出力電源の電圧値を改変するものとする。
【０００５】
本考案のまた別の目的は、一種の電源アダプタを提供することにあり、それは電源出力コネクタに出力変換アダプタが選択的に接続されて、出力変換アダプタにより電気設備の電源ソケットに接続されるものとする。
【０００６】
本考案のさらに別の目的は、一種の電源アダプタを提供することにあり、それは、その電圧変換装置に誤触停電装置及び起動スイッチが設けられ、多段切り換えスイッチに誤触時に停電し、並びに起動スイッチにより再起動できるものとする。
【課題を解決するための手段】
【０００７】
請求項１の考案は、電源入力コネクタと、電圧変換装置と、電源出力コネクタとを具えた電源アダプタであり、
該電源入力コネクタは直流電源設備に接続され並びに直流電源を入力し、
該電圧変換装置は直流電圧変換回路と多段切り換えスイッチ及び抵抗選択ネットワークを具え、該直流電圧変換回路が電源入力端、参考端及び電源出力端を具え、該電源入力端が前記電源入力コネクタが接続されて前記直流電源を入力し、該電源出力端は参考端の抵抗値により前記直流電源を変圧後に対応する電圧値の出力電源を出力し、該多段切り換えスイッチは公共端と複数の切り換え端を具え、該公共端が直流電圧変換回路の参考端に接続され、該抵抗選択ネットワークは複数の抵抗選択接点を具え、各抵抗選択接点が異なった抵抗値を代表し、且つ各抵抗選択接点がそれぞれ多段切り換えスイッチの各切り換え端に対応するよう接続され、
該電源出力コネクタは、電圧変換装置の直流電圧変換回路の電源出力端に接続されることを特徴とする、電源アダプタとしている。
請求項２の考案は、請求項１記載の電源アダプタにおいて、電源出力コネクタに接続されて電源出力コネクタと電気設備を連結する出力変換アダプタを更に具えたことを特徴とする、電源アダプタとしている。
請求項３の考案は、請求項２記載の電源アダプタにおいて、電源出力コネクタに接続部が設けられ、出力変換アダプタに連接端と出力端が設けられ、該連接端が電源出力コネクタの接続部に接続され、出力端が電気設備の電源ソケットに接続されることを特徴とする、電源アダプタとしている。
請求項４の考案は、請求項１記載の電源アダプタにおいて、電圧変換装置に誤触停電装置と起動スイッチが更に設けられ、多段切り換えスイッチが誤触される時、それを切断し、並びに起動スイッチにより再起動させられることを特徴とする、電源アダプタとしている。
【考案の効果】
【０００８】
本考案の電源アダプタは、電源入力コネクタ、電圧変換装置、電源出力コネクタ及び複数の出力変換アダプタを具え、電源入力コネクタと電源出力コネクタは電圧変換装置に接続され、電源入力コネクタは直流電源を電圧変換装置に入力し、電圧変換装置は直流電圧変換回路、多段切り換えスイッチ及び抵抗選択ネットワークを具え、直流電圧変換回路が多段切り換えスイッチの多段切り換え操作を通して抵抗選択ネットワークに接続され、直流電圧変換回路が抵抗選択ネットワークより異なる抵抗値を獲得し、直流電源を抵抗値の選択により変換して対応する電圧値の出力電源となして電源出力コネクタより出力し、対応する電気設備の電源を提供し、電圧変換装置が並びに誤触停電装置と起動スイッチを具え、該誤触停電装置は多段切り換えスイッチに誤触時に電力を切断し、並びに起動スイッチで新たに起動できる。
【考案を実施するための最良の形態】
【０００９】
本考案の電源アダプタは、電源入力コネクタ、電圧変換装置、電源出力コネクタ及び複数の出力変換アダプタを具え、電源入力コネクタと電源出力コネクタは電圧変換装置に接続され、電源入力コネクタは直流電源を電圧変換装置に入力し、電圧変換装置は直流電圧変換回路、多段切り換えスイッチ及び抵抗選択ネットワークを具え、直流電圧変換回路が多段切り換えスイッチの多段切り換え操作を通して抵抗選択ネットワークに接続され、直流電圧変換回路が抵抗選択ネットワークより異なる抵抗値を獲得し、直流電源を抵抗値の選択により変換して対応する電圧値の出力電源となして電源出力コネクタより出力し、並びに出力変換アダプタが電源出力コネクタに接続されて、該出力変換アダプタが対応する電気設備の電源ソケットに接続され、電圧変換装置に誤触停電装置と起動スイッチが設けられ、該多段切り換えスイッチに誤触時に停電し、並びに起動スイッチで再起動でき、ゆえに本考案は単一の直流電源アダプタにより多種類の異なる電源電圧値の電気設備に使用できる機能を有する。
【実施例１】
【００１０】
図１、２、３に示されるように、本考案の電源アダプタ１００は、電源入力コネクタ１０、電圧変換装置２０、電源出力コネクタ３０及び複数の出力変換アダプタ４０、５０を具え、電源入力コネクタ１０と電源出力コネクタ３０は電圧変換装置２０に接続され、電源入力コネクタ１０は直流電源設備２００の出力コネクタ２１０に接続され、直流電源Ｓを入力する（図３）。直流電源設備２００の形式に制限はなく、本考案はノートブック型コンピュータの直流電源アダプタを例としており、電源入力コネクタ１０が直流電源Ｓを電圧変換装置２０に入力する。
【００１１】
図３も参照されたい。電圧変換装置２０は直流電圧変換回路２１、多段切り換えスイッチ２２及び抵抗選択ネットワーク２３を具えている。直流電圧変換回路２１は電源入力端２１１、参考端２１２及び電源出力端２１３を具えている。電源出力端２１３は参考端２１２の抵抗値の変化により電源入力端２１１の入力する電源電圧を対応する電圧の電源に変換して出力する。電源入力端２１１は電源入力コネクタ１０に接続され、直流電源Ｓを入力する。
【００１２】
多段切り換えスイッチ２２は公共端２２Ａと複数の切り換え端２２１〜２２Ｎを具え、切り換え端２２１〜２２Ｎは多段切り換えスイッチ２２の切り換え操作により択一されて公共端２２１と接続され、公共端２２Ａが上述の参考端２１２に接続される。抵抗選択ネットワーク２３は複数の抵抗選択接点２３１〜２３Ｎを具え、各抵抗選択接点２３１〜２３Ｎは異なった抵抗値を代表し、且つ抵抗選択接点２３１〜２３Ｎは多段切り換えスイッチ２２の切り換え端２２１〜２２Ｎと逐一対応するよう接続される。
【００１３】
上述の直流電圧変換回路２１の電源出力端２１３の出力電源Ｖの電圧値は抵抗選択ネットワーク２３中の各抵抗選択接点２３１〜２３Ｎと参考端２１２の接続状態により決定され、即ち抵抗選択接点２３１〜２３Ｎが代表する抵抗値が参考端２１２に接続されて電源出力端２１３の出力する出力電源Ｖが対応する異なった電圧値を有する。
【００１４】
電源出力コネクタ３０は直流電圧変換回路２１の電源出力端２１３と接続され、出力電源Ｖを出力し、電源出力コネクタ３０は並びに接続部３１を具えている。
【００１５】
出力変換アダプタ４０、５０はそれぞれ連接端４１、５１と出力端４２、５２を具え、連接端４１或いは５１と電源出力コネクタ３０の接続部３１が接続され、出力電源Ｖに接続され、出力電源Ｖが出力端４２或いは５２より出力される。
【００１６】
さらに図４、５も参照されたい。これは本考案の電源アダプタ１００の二つの実際の応用例を示す。そのうち、図４は携帯ラジオ３００に応用された状態を示し、電圧変換装置２０中の多段切り換えスイッチ２２の切り換え操作により電源設備２００の提供する直流電源Ｓの電圧を変圧した後に、電源出力コネクタ３０に出力させる出力電源Ｖの電圧値は携帯ラジオ３００の定格電圧値とされ、さらに出力変換アダプタ４０の連接端４１が携帯ラジオ３００の電源ソケット３１０に接続される。同様に、図５には本考案を携帯電話４００の電池充電に応用する状態が示され、多段切り換えスイッチ２２の再度切り換え操作により電源出力コネクタ３０の出力電源Ｖの電圧が再度改変されて携帯電話４００の充電の定格電圧値とされ、並びに図４で使用した出力変換アダプタ４０が取り外されて、もう一つの出力変換アダプタ５０が電源出力コネクタ３０の接続部３１に接続され、並びに出力端５２が携帯電話４００底部の充電ソケット４１０に接続される。
【００１７】
図４及び図５の応用例の説明中、本考案の電源アダプタ１００が共同で単一直流電源設備２００を使用する前提下で、僅かに多段切り換えスイッチ２２の簡便な切り換え操作と出力変換アダプタ４０、５０の対応する交換操作により、携帯ラジオ３００及び携帯電話４００等多種類の異なる電源電圧値の電気設備に電源を提供できることが示される。
さらに図１に示されるように、本考案の電圧変換装置２０には誤触停電装置（図示せず）及び起動スイッチ２４が設けられ、本考案の電源アダプタ１００の使用中に多段切り換えスイッチ２２が何らかの接触により駆動される時、電圧変換装置２０の誤触停電装置が即刻電力を切断し、これにより不当な出力電圧により使用中の電気設備が損壊するのを防止する。一旦停電した後には、起動スイッチ２４を押圧しなければ再度電圧変換装置２０を起動して電源を提供することはできず、これにより誤触或いは誤った操作を防止する効果を達成する。
【００１８】
以上の実施例は家庭用直流電源を以て電源アダプタ１００の必要とする電源を提供しているが、自動車、飛行機等の交通工具或いはバッテリーで直流電源を提供し、並びに電源アダプタ１００により必要な電流及び電圧に調整することができる。直流電源或いは交流電源のいずれであっても、入力電源は本考案の電源アダプタ１００により必要により選択された出力電流及び電圧に変換される。
【００１９】
図１から図５に示される本考案の電源アダプタ及び関係する説明内容及び図面は本考案の技術手段及び技術内容を明確に示しており、好ましい実施例の一隅に過ぎず、本考案の請求範囲を限定するものではなく、本考案の構造の細部に対する修飾及び同じ効果を達成する部品との交換に対しては、本考案の精神と範疇を逸脱しない限り、本考案の請求範囲に属するものとする。
【図面の簡単な説明】
【００２０】
【図１】本考案の立体外観構造図である。
【図２】本考案の立体分解構造図である。
【図３】本考案中の電圧変換装置のブロック回路図である。
【図４】本考案を携帯ラジオに応用した応用例図である。
【図５】本考案を携帯電話に応用した応用例図である。
【符号の説明】
【００２１】
１００  電源アダプタ
１０  電源入力コネクタ              ２０  電圧変換装置
２１  直流電圧変換回路              ２１１  電源入力端
２１２  参考端                      ２１３  電源出力端
２２  多段切り換えスイッチ          ２２Ａ  公共端
２２１〜２２Ｎ  切り換え端          ２３  抵抗選択ネットワーク
２３１〜２３Ｎ  抵抗選択接点
２４  起動スイッチ                  ３０  電源出力コネクタ
３１  接続部                        ４０  出力変換アダプタ
４１  連接端                        ４２  出力端
５０  出力変換アダプタ              ５１  連接端
５２  出力端                        ２００  直流電源設備
２１０  出力コネクタ                ３００  携帯ラジオ
３１０  電源ソケット                ４００  携帯電話
４１０  充電ソケット                Ｓ  直流電源
Ｖ  出力電源
【図１】
0003103709.tif 000003
【図２】
0003103709.tif 000004
【図３】
0003103709.tif 000005
【図４】
0003103709.tif 000006
【図５】
0003103709.tif 000007